(57)【要約】  セルラーシステムにおける任意接続方法および装置を開示する。セルラーシステムにおける任意接続方法は、端末機から任意接続のための任意接続プリアンブルを受信するステップと、受信された任意接続プリアンブルのシーケンス、端末機の上りリンクリソース情報および任意接続に対する負荷状態情報を含む任意接続応答メッセージを端末機に送信するステップと、任意接続応答メッセージに基づいて生成された制御情報を上りリンクリソース情報を介して端末機から受信するステップと、受信された制御情報に対する制御応答情報を送信するステップとを含む。
2011510586.tif 000002
【特許請求の範囲】
【請求項１】
端末機から任意接続のための任意接続プリアンブルを受信するステップと、
前記受信された任意接続プリアンブルのシーケンス、前記端末機の上りリンクリソース情報および任意接続に対する負荷状態情報を含む任意接続応答メッセージを前記端末機に送信するステップと、
前記任意接続応答メッセージに基づいて生成された制御情報を前記上りリンクリソース情報を介して前記端末機から受信するステップと、
前記受信された制御情報に対する制御応答情報を送信するステップと、
を含むことを特徴とするセルラーシステムの任意接続方法。
【請求項２】
前記任意接続応答メッセージは、第１プリアンブル存在ビット、第１情報区分ビット、非競争応答情報の数、および競争応答情報の数のうちの少なくともいずれか１つと前記任意接続に対する負荷状態情報を含むバイト単位の共通情報と、
第２プリアンブル存在ビットおよび第２情報区分ビットのうちの少なくともいずれか１つと前記任意接続プリアンブルのシーケンスを含むバイト単位のプリアンブルインデックス表示部と、
上りリンク送信時間情報、送信電力情報、前記上りリンクリソース情報、および臨時割当端末機識別子を含むバイト単位の応答情報と、
を含むことを特徴とする請求項１に記載のセルラーシステムの任意接続方法。
【請求項３】
前記第１プリアンブル存在ビットは前記端末機に対応する任意接続プリアンブルの存在の有無を示し、前記第２プリアンブル存在ビットは前記端末機以外の追加的な端末機に対応する任意接続プリアンブルの存在の有無を示すことを特徴とする請求項２に記載のセルラーシステムの任意接続方法。
【請求項４】
前記第１情報区分ビットは前記第１情報区分ビットが含まれたバイトが共通情報であることを示し、前記第２情報区分ビットは前記第２情報区分ビットが含まれたバイトがプリアンブルインデックス表示部であることを示し、前記第１情報区分ビットが１である場合には前記第２情報区分ビットが０であることを特徴とする請求項２に記載のセルラーシステムの任意接続方法。
【請求項５】
前記任意接続応答メッセージは、第２プリアンブルインデックス表示部と前記第２プリアンブルインデックス表示部に対応する第２応答情報をさらに含み、
前記プリアンブルインデックス表示部が非競争方式の任意接続を試みる端末機に対応し、前記第２プリアンブルインデックス表示部が競争方式の任意接続を試みる端末機に対応する場合に、前記プリアンブルインデックス表示部と前記第２プリアンブルインデックス表示部が順に位置し、前記応答情報と前記第２応答情報が順に位置することを特徴とする請求項２に記載のセルラーシステムの任意接続方法。
【請求項６】
前記端末装置は、前記非競争応答情報の数を用いて非競争の前記応答情報と競争の第２応答情報の境界を区分することを特徴とする請求項５に記載のセルラーシステムの任意接続方法。
【請求項７】
基地局によって設定されたシーケンスの中で任意に１つを選択して任意接続プリアンブルを送信するプリアンブル送信部と、
前記基地局から前記任意接続プリアンブルのシーケンス、任意接続に対する負荷状態情報を含む任意接続応答メッセージを受信し、前記受信された任意接続応答メッセージから前記任意接続プリアンブルのシーケンスに対応する応答情報を抽出する任意接続応答メッセージ処理部と、
前記抽出された応答情報に基づいて無線リソース制御情報生成し、前記無線リソース制御情報を送信する制御情報送信部と、
を含むことを特徴とするセルラーシステムの端末機。
【請求項８】
前記任意接続応答メッセージ処理部は、前記任意接続応答メッセージに含まれた複数の任意接続プリアンブルシーケンスから前記送信した任意接続プリアンブルのシーケンスと同一の任意接続プリアンブルシーケンスを検索し、前記検索された任意接続プリアンブルシーケンスに対応する上りリンク送信時間情報、送信電力情報、上りリンク無線リソース情報と臨時割当端末機識別子を抽出することを特徴とする請求項７に記載のセルラーシステムの端末機。
【請求項９】
前記任意接続応答メッセージ処理部は、前記任意接続応答メッセージの非競争応答情報の数を用いて前記応答情報から非競争応答情報と競争応答情報を区分することを特徴とする請求項７に記載のセルラーシステムの端末機。
【請求項１０】
端末機から任意接続プリアンブルを受信し、前記任意接続プリアンブルに対応する応答情報を生成するプリアンブル応答情報生成部と、
任意接続に対する負荷状態情報、前記受信された任意接続プリアンブルのシーケンスおよび前記生成された応答情報を含む任意接続応答メッセージを生成する任意接続応答メッセージ生成部と、
前記任意接続応答メッセージに基づいて生成された無線リソース制御情報を受信し、前記無線リソース制御情報に対する制御応答情報を送信する制御応答送信部と、
を含むことを特徴とするセルラーシステムの基地局。
【請求項１１】
前記プリアンブル応答情報生成部は、
前記端末機の上りリンク送信時間を調整するための上りリンク送信時間情報と、
前記端末機の送信電力を調整するための送信電力情報と、
前記端末機の無線リソース情報、前記端末機が送信するデータに適用される変調および符号化情報を含む上りリンク無線リソース情報と、
前記端末機に臨時的に割り当てられる識別子として、基地局内でスケジューリング時に用いられる臨時割当端末機識別子を含む応答情報と、
を生成することを特徴とする請求項１０に記載のセルラーシステムの基地局。
【発明の詳細な説明】
【技術分野】
【０００１】
本発明は、セルラーシステムにおける任意接続方法および装置に関し、より詳しくは、共通情報を含む任意接続応答メッセージを用いる任意接続方法および装置に関する。
【背景技術】
【０００２】
パケットサービスのためのセルラーシステムは、サーキットシステムにおいて端末機へ無線リソースを専用に割り当てるものとは異なり、様々な端末機が無線リソースを共有する。
【０００３】
したがって、セルラーシステムにおいて各端末機に割り当てられた無線リソースを各端末機が区別してアクセスできるように任意接続応答情報によって知らせなければならない。このとき、セルラーシステムは、任意接続応答情報の送信時、最小限の無線リソースを占有して送信することによって、限定された無線リソースの活用を極大化することのできる方法が求められる。それだけでなく、任意接続応答情報は、それを受信する端末機の動作効率性を向上させるための構成が求められる。
【発明の概要】
【発明が解決しようとする課題】
【０００４】
本発明が解決しようとする課題は、セルラーシステムにおいてバイト単位の任意接続応答メッセージを用いることによって、端末機動作の効率性を向上させる任意接続方法および装置を提供することにある。
【０００５】
本発明が解決しようとする他の課題は、セルラーシステムにおいて任意接続プリアンブルインデックスの存在の有無を用いることによって、無線リソースを効率的に使用できる任意接続方法および装置を提供することにある。
【０００６】
本発明が解決しようとする課題は、以上で言及した技術的な課題により制限されず、言及されない更なる技術的な課題は下記の記載によって当業者に明確に理解できるものである。
【課題を解決するための手段】
【０００７】
前述した課題を解決するための本発明の実施形態に係る任意接続方法は、端末機から任意接続のための任意接続プリアンブルを受信するステップと、前記受信された任意接続プリアンブルのシーケンス、前記端末機の上りリンクリソース情報および任意接続に対する負荷状態情報を含む任意接続応答メッセージを前記端末機に送信するステップと、前記任意接続応答メッセージに基づいて生成された制御情報を前記上りリンクリソース情報を介して前記端末機から受信するステップと、前記受信された制御情報に対する制御応答情報を送信するステップとを含む。
【０００８】
前述した課題を解決するための本発明の実施形態に係るセルラーシステムの端末機は、基地局によって設定されたシーケンスの中で任意に１つを選択して任意接続プリアンブルを送信するプリアンブル送信部と、前記基地局から前記任意接続プリアンブルのシーケンス、任意接続に対する負荷状態情報を含む任意接続応答メッセージを受信し、前記受信された任意接続応答メッセージから前記任意接続プリアンブルのシーケンスに対応する応答情報を抽出する任意接続応答メッセージ処理部と、前記抽出された応答情報に基づいて無線リソース制御情報生成し、前記無線リソース制御情報を送信する制御情報送信部とを含む。
【０００９】
前述した課題を解決するための本発明の実施形態に係るセルラーシステムの基地局は、端末機から任意接続プリアンブルを受信し、前記任意接続プリアンブルに対応する応答情報を生成するプリアンブル応答情報生成部と、任意接続に対する負荷状態情報、前記受信された任意接続プリアンブルのシーケンスおよび前記生成された応答情報を含む任意接続応答メッセージを生成する任意接続応答メッセージ生成部と、前記任意接続応答メッセージに基づいて生成された無線リソース制御情報を受信し、前記無線リソース制御情報に対する制御応答情報を送信する制御応答送信部とを含む。
【発明の効果】
【００１０】
本発明の実施形態に係るセルラーシステムにおける任意接続方法および装置は、バイト単位の任意接続応答メッセージを用いることによって、端末機動作の効率性を向上させる。また、任意接続プリアンブルインデックスの存在の有無を用いることによって、無線リソースを効率的に使用できる。
【図面の簡単な説明】
【００１１】
【図１】本発明の実施形態に係るセルラーシステムの構成を示すブロック図である。
【図２】本発明の実施形態に係る任意接続応答メッセージを構成する基本的な応答メッセージ構成の例を示す図である。
【図３】本発明の第１実施形態に係る任意接続応答メッセージの構成を示す図である。
【図４】本発明の第２実施形態に係る任意接続応答メッセージの構成を示す図である。
【図５】本発明の第３実施形態に係る任意接続応答メッセージの構成を示す図である。
【図６】本発明の第４実施形態に係る任意接続応答メッセージの構成を示す図である。
【図７】本発明の実施形態に係るセルラーシステムの任意接続手続きを示す図である。
【発明を実施するための形態】
【００１２】
以下、添付された図面を参照して本発明の実施形態に係るセルラーシステムにおける任意接続応答メッセージを効率的に構成する方法および装置に対して詳細に説明する。
【００１３】
セルラーシステムは、サーキットシステムにおいて端末機へ無線リソースを専用に割り当てるものとは異なり、様々な端末機が無線リソースを共有する。
【００１４】
したがって、セルラーシステムにおいて基地局は、無線リソースを各端末機が区別してアクセスできるように任意接続手続きによって各端末機に知らせなければならない。
【００１５】
このとき、セルラーシステムにおける任意接続手続きは競争方式と非競争方式に区分してもよい。
【００１６】
競争方式の任意接続手続きは、基地局から端末機識別子（Ｃ−ＲＮＴＩ：Ｃｅｌｌ  Ｒａｄｉｏ  Ｎｅｔｗｏｒｋ  Ｔｅｍｐｏｒａｒｙ  Ｉｄｅｎｔｉｆｉｅｒ）が割り当てられない状態の端末機または端末機識別子がすでに割り当てられた端末機であっても、任意接続手続きのための任意接続プリアンブルシーケンスが割り当てられることのできない端末機が行う任意接続手続きである。
【００１７】
一方、非競争方式の任意接続手続きは、基地局が任意接続手続きのために端末機が初めて送信する任意接続プリアンブルシーケンスを割り当て、任意接続手続き中に発生し得る競争を回避することができるように制御する任意接続手続きである。このような非競争方式の任意接続手続きは、ハンドオーバー中である端末機または下りリンクデータ送信を再開始しなければならない端末機を対象とする。
【００１８】
図１は、本発明の実施形態に係るセルラーシステムの構成を示すブロック図である。
【００１９】
図１を参照すれば、本発明の実施形態に係るセルラーシステムは端末機１００および基地局２００を含む。
【００２０】
端末機１００は、プリアンブル送信部１１０、任意接続応答メッセージ処理部１２０、および制御情報送信部１３０を含む。
【００２１】
プリアンブル送信部１１０は、基地局２００によって設定されたシーケンスの中で任意に１つを選択して任意接続プリアンブルを送信する。
【００２２】
任意接続応答メッセージ処理部１２０は、基地局２００から任意接続応答メッセージを受信し、これを処理する。
【００２３】
ここで、任意接続応答メッセージはバイト単位に構成され、共通情報、検出プリアンブルインデックス表示部、および応答情報を含む。
【００２４】
共通情報は、任意接続の負荷状態を含んでもよい。
【００２５】
検出プリアンブルインデックス表示部は、任意接続を試みた複数の端末機の任意接続プリアンブルインデックスを含み、応答情報は各任意接続プリアンブルインデックスに対応する応答情報を含む。
【００２６】
具体的に、応答情報は上りリンク送信時間調整情報、上りリンク送信電力調整情報、上りリンク無線リソース割当情報、および臨時割当端末機識別子などを含む。
【００２７】
任意接続応答メッセージ処理部１２０は、プリアンブル送信部１１０から送信した任意接続プリアンブルシーケンスと検出プリアンブルインデックス表示部の任意接続プリアンブルインデックスが同一であるかを確認する。このとき、任意接続応答メッセージ処理部１２０は、検出プリアンブルインデックス表示部に含まれた複数の任意接続プリアンブルインデックスに対して全て確認する。任意接続応答メッセージ処理部１２０は、同一の任意接続プリアンブルインデックスが存在する場合には、任意接続プリアンブルインデックスに該当する応答情報を抽出する。
【００２８】
制御情報送信部１３０は、任意接続応答メッセージ処理部１２０から抽出された応答情報を用いて無線リソース制御（ＲＲＣ）接続などを含む制御情報を送信する。すなわち、制御情報送信部１３０は、応答情報に対応する電力および変調方式に形成された制御情報を上りリンクリソース情報を介して送信する。
【００２９】
基地局２００は、プリアンブル応答情報生成部２１０、任意接続応答メッセージ生成部２２０および制御応答送信部２３０を含む。
【００３０】
プリアンブル応答情報生成部２１０は、端末機１００から任意接続プリアンブルを受信し、ここで、対応する応答情報を生成する。すなわち、プリアンブル応答情報生成部２１０は、任意接続を試みた端末機を区分するために端末機識別子を臨時に付与し、端末機の上りリンク送信時間を調整する。プリアンブル応答情報生成部２１０は、任意接続プリアンブルのパワー情報に基づいて、以後端末機が送信する制御情報に対する電力を決定する。また、プリアンブル応答情報生成部２１０は、端末機が制御情報を送信する上りリンク情報を割り当てる。結果的に、プリアンブル応答情報生成部２１０は、任意接続プリアンブルを送信した端末機に臨時的に割り当てた端末識別子、上りリンク送信時間、電力および上りリンク情報を含む応答情報を生成する。
【００３１】
任意接続応答メッセージ生成部２２０は、共通情報、検出プリアンブルインデックス表示部、および応答情報を含む任意接続応答メッセージを構成し、１つの下りリンクを介してこれを送信する。具体的に、任意接続応答メッセージ生成部２２０は任意接続負荷状態を含む共通情報を生成し、プリアンブル応答情報生成部２１０から任意接続プリアンブルインデックスおよび応答情報の提供を受け、任意接続応答メッセージを構成する。このとき、任意接続応答メッセージ生成部２２０は、複数の端末にそれぞれ対応する検出プリアンブルインデックス表示部と応答情報を全て含む。
【００３２】
制御応答送信部２３０は、任意接続応答メッセージを受信した端末機から制御情報を受信し、これに対する制御応答情報を送信する。
【００３３】
図２は、本発明の実施形態に係る任意接続応答メッセージを構成する基本的な応答メッセージ構成の例を示す図である。
【００３４】
図２を参照すれば、任意接続応答メッセージを構成する基本的な応答メッセージはバイト単位で構成されることによって、メッセージを受信する端末機の動作に対する効率性を向上させることができる。
【００３５】
任意接続応答メッセージを構成する基本的な応答メッセージは、プリアンブル存在ビット３、任意接続プリアンブルインデックス５、上りリンク送信時間調整情報６、上りリンク送信電力調整情報７、上りリンク無線リソース割当情報８、および臨時割当端末機識別子９を含む。
【００３６】
任意接続プリアンブルインデックス５は、任意接続のために端末機から受信した任意接続プリアンブルシーケンスを示すインデックスを示す。任意接続プリアンブルインデックス５は、例えば、６ビットに構成してもよい。
【００３７】
プリアンブル存在ビット３は、任意接続プリアンブルインデックス５を送信した端末機以外の端末機に対する任意接続プリアンブルインデックスの存在の有無を示す。例えば、プリアンブル存在ビット３は、１と設定された場合には、追加的な更なる任意接続プリアンブルインデックスが存在することを表し、０と設定された場合にはこれ以上の任意接続プリアンブルインデックスが存在しないことを表す。
【００３８】
上りリンク送信時間調整情報６は、任意接続プリアンブルインデックス５を送信した端末機の上りリンク送信時間を調整するための情報である。上りリンク送信時間調整情報６は、例えば、８〜１１ビットに構成してもよい。
【００３９】
上りリンク送信電力調整情報７は、任意接続プリアンブルインデックス５を送信した端末機の送信電力調整情報を示す。すなわち、上りリンク送信電力調整情報７は、任意接続プリアンブル受信電力に基づいて端末機が続いて送信する制御情報の送信時点に適用する上りリンク送信電力調整情報を示す。上りリンク送信電力調整情報７は、例えば、５〜２４ビットに構成してもよい。
【００４０】
上りリンク無線リソース割当情報８は、任意接続を試みた端末機が任意接続応答メッセージを受信した以後に上りリンクに制御情報を送信できるようにするための上りリンク無線リソース情報を示す。このような上りリンク無線リソース割当情報８は、端末機が占有できる副搬送波の位置を含む無線リソース割当情報と端末機が割当受けた無線リソースでデータを送信する時適用する変調および符号化情報を含む。
【００４１】
臨時割当端末機識別子９は、基地局が任意接続を試みた端末機に対して、基地局内でスケジューリングのため区分するために臨時に割り当てる識別子を示す。臨時割当端末機識別子９は、例えば、１６ビットに構成してもよい。
【００４２】
また、検出プリアンブルインデックス表示部１３に含まれた予約フィールド４は予約ビット（ｒｅｓｅｒｖｅｄ  ｂｉｔ）を意味する。予約フィールド４は、予約フィールド４が含まれた１バイトの情報が共通情報であるか非共通情報であるかの有無を示す情報区分ビットとして用いられてもよい。
【００４３】
図３は、本発明の第１実施形態に係る任意接続応答メッセージの構成を示す図である。
【００４４】
図３を参照すれば、本発明の第１実施形態に係る任意接続応答メッセージは、共通情報１２、検出プリアンブルインデックス表示部１３、非競争応答メッセージ１４、および競争応答メッセージ１５を含む。このような任意接続応答メッセージに含まれた共通情報１２、検出プリアンブルインデックス表示部１３、非競争応答メッセージ１４、および競争応答メッセージ１５はバイト単位に構成されてもよく、１つの下りリンク共有リソースに多重化されて端末機に送信されるてもよい。
【００４５】
共通情報１２は、プリアンブル存在ビット３、情報区分ビット４ａ、非競争応答情報の数１および任意接続負荷状態２を含んでもよい。このような共通情報１２は１バイトに構成してもよい。
【００４６】
プリアンブル存在ビット３は、共通情報ブロック以後に任意接続を試みた端末機から受信した任意接続プリアンブルインデックス５の存在の有無を示す。
【００４７】
したがって、共通情報１２に含まれたプリアンブル存在ビット３は共通情報１２の次に存在してもよい検出プリアンブルインデックス表示部１３および応答メッセージ１４、１５の存在の有無を示してもよい。
【００４８】
情報区分ビット４ａは、情報区分ビット４ａを含む情報が共通情報１２であるか、共通情報を除いた任意接続情報、すなわち非共通情報であるかを区分できるようにする。
【００４９】
例えば、情報区分ビット４ａが１と設定された場合、情報区分ビット４ａが含まれた１バイトの情報は共通情報１２を意味する。
【００５０】
非競争応答情報の数１は非競争応答情報１１の数を示すものであって、端末機により非競争応答メッセージ１４と競争応答メッセージ１５を区分できるようにする。
【００５１】
任意接続負荷状態２は任意接続負荷状態を示すものであって、端末機は衝突の可能性を回避することができる情報を提供する。例えば、任意接続負荷状態２は、端末機のバックオフ手続きまたは任意接続試みの回数、任意接続プリアンブル選定などに関する情報を示す。
【００５２】
検出プリアンブルインデックス表示部１３は、任意接続プリアンブルインデックス５、プリアンブル存在ビット３、および情報区分ビット４ａを含んでもよい。
【００５３】
任意接続プリアンブルインデックス５は、任意接続を試みた端末機から受信した任意接続プリアンブルシーケンスを意味する。
【００５４】
プリアンブル存在ビット３は、前記端末機以外の任意接続を試みた端末機の任意接続プリアンブルインデックスの存在の有無を示す。
【００５５】
情報区分ビット４ａは、情報区分ビット４ａを含む情報が共通情報１２であるか、共通情報を除いた任意接続情報、すなわち非共通情報であるかを区分できるようにする。
【００５６】
例えば、情報区分ビット４ａが０と設定された場合、情報区分ビット４ａが含まれた１バイトの情報は非共通情報の検出プリアンブルインデックス表示部１３を意味する。
【００５７】
検出プリアンブルインデックス表示部１３は、任意接続を試みた各端末機に対応する任意接続プリアンブルインデックス５、プリアンブル存在ビット３、および情報区分ビット４ａを全て含む。ここで、プリアンブル存在ビット３が、例えば、０と設定された場合、検出プリアンブルインデックス表示部１３に存在する最後の任意接続プリアンブルインデックスであることを示してもよい。
【００５８】
また、検出プリアンブルインデックス表示部１３は、非競争任意接続プリアンブルインデックスと競争任意接続プリアンブルインデックスを含んでもよい。このとき、非競争任意接続プリアンブルインデックスおよび競争任意接続プリアンブルインデックスは順に位置してもよい。
【００５９】
競争応答メッセージ１５および非競争応答メッセージ１４は、任意接続応答メッセージを受信した端末機が以後、送信する制御情報メッセージに対する設定情報である。競争応答メッセージ１５は競争方式で任意接続手続きを試みる端末機に対するメッセージであり、非競争応答メッセージ１４は非競争方式で任意接続手続きを試みる端末機に対するメッセージである。このとき、競争応答メッセージ１５および非競争応答メッセージ１４は、それぞれ複数の競争応答情報１１ａおよび非競争応答情報１１を含んでもよい。また、競争応答メッセージ１５の競争応答情報１１ａと非競争応答メッセージ１４の非競争応答情報１１は、検出プリアンブルインデックス表示部１３の任意接続プリアンブルインデックス５順序に対応して位置してもよい。
【００６０】
競争応答メッセージ１５に含まれた競争応答情報１１ａは、上りリンク送信時間調整情報６、上りリンク送信電力調整情報７、上りリンク無線リソース割当情報８、および臨時割当端末機識別子９を含む。
【００６１】
上りリンク送信時間調整情報６は、任意接続プリアンブルインデックス５を送信した端末機の上りリンク送信時間を調整するための情報を示す。上りリンク送信電力調整情報７は、任意接続プリアンブルインデックス５を送信した端末機の送信電力調整情報を示す。上りリンク無線リソース割当情報８は、任意接続を試みた端末機が任意接続応答メッセージを受信した以後に上りリンクで制御情報を送信できるようにするための上りリンク無線リソース情報を示す。臨時割当端末機識別子９は、基地局内でスケジューリング時任意接続を試みた端末機を区分するために臨時に割り当てる識別子を示す。
【００６２】
非競争応答メッセージ１４に含まれた非競争応答情報１１は競争応答情報１１ａとは異なり、臨時割当端末機識別子が必要でないため上りリンク送信時間調整情報６および上りリンク送信電力調整情報７だけを含んでもよい。任意接続応答メッセージにおいて、非競争応答メッセージ１４は競争応答メッセージ１５よりも先に位置してもよい。
【００６３】
前述した非競争応答情報１１と競争応答情報１１ａの境界は、非競争応答情報の数１およびプリアンブル存在ビット３によって区分してもよい。
【００６４】
例えば、非競争応答情報の数１に設定された値に該当する任意接続プリアンブルインデックスは、最後の非競争任意接続プリアンブルインデックスを示す。また、最後の非競争任意接続プリアンブルインデックスのプリアンブル存在ビット３が１と設定されれば、次に存在する任意接続プリアンブルインデックスは、競争任意接続プリアンブルインデックスであることが分かる。したがって、任意接続プリアンブルインデックスが非競争と競争に区分されることによって、それぞれに対応する非競争応答情報および競争応答情報の境界が区分できる。
【００６５】
本発明の第１実施形態に係る任意接続応答メッセージは、図３に示すように限定されず、共通情報１２は、非競争応答情報の数１および任意接続負荷状態情報２だけを含んで構成してもよい。また、検出プリアンブルインデックス表示部１３は、任意接続プリアンブルインデックス５、プリアンブル存在ビット３だけを含んでもよい。
【００６６】
しかし、基地局は情報区分ビット４ａが含まれた任意接続応答メッセージを構成することによって、任意接続応答メッセージの特定位置に共通情報１２を固定させる必要がない。また、必要な場合のみ選択的に共通情報を含む任意接続応答メッセージを構成して送信してもよい。
【００６７】
また、本発明の第１実施形態に係る任意接続応答メッセージは非競争応答情報の数１を導入し、非競争応答情報と競争応答情報の区別を可能にすることによって、サイズが小さい非競争応答情報を用いてもよい。結果的に、メッセージの構成を最小化することによって、無線リソースの活用を向上させることができる。
【００６８】
図４は、本発明の第２実施形態に係る任意接続応答メッセージの構成を示す図である。
【００６９】
図４を参照すれば、本発明の第２実施形態に係る任意接続応答メッセージの基本的な構造は、図３を参照して説明した任意接続応答メッセージの構造と同一であるため、その内容は省略する。
【００７０】
ただ、共通情報１２は、プリアンブル存在ビット３、情報区分ビット４ａ、予約フィールド４、および任意接続負荷状態情報２を含み、１バイトに構成してもよい。
【００７１】
また、応答メッセージ１５ａは非競争または競争応答メッセージの区分なしに、任意接続を試みた端末機に対して上りリンク送信時間調整情報６、上りリンク送信電力調整情報７、上りリンク無線リソース割当情報８、および臨時割当端末機識別子９を全て含む。
【００７２】
図５は、本発明の第３実施形態に係る任意接続応答メッセージの構成を示す図である。
【００７３】
図５を参照すれば、本発明の第３実施形態に係る任意接続応答メッセージの基本的な構造は図３を参照して説明した任意接続応答メッセージの構造と同一であるため、その内容は省略する。
【００７４】
ただ、共通情報１２は、プリアンブル存在ビット３、情報区分ビット４ａ、非競争応答情報の数１、競争応答情報の数１６および任意接続負荷状態情報２を含む。
【００７５】
このとき、共通情報１２は、例えば、１バイトのプリアンブル存在ビット３、情報区分ビット４ａ、非競争応答情報の数１と１バイトの競争応答情報の数１６と１バイトの任意接続負荷状態情報２を含み、３バイトに構成してもよい。
【００７６】
また、図５には示していないが、共通情報が非競争応答情報の数、競争応答情報の数および任意接続負荷だけを含んで構成される場合、検出プリアンブルインデックス表示部は、任意接続プリアンブルインデックスだけを含んで構成してもよい。
【００７７】
すなわち、検出プリアンブルインデックス表示部はプリアンブル存在ビットおよび情報区分ビットを含むことなく、２ビットの予約フィールドを含んで構成されることによって、今後ビット活用のための柔軟性を確保することができる長所がある。
【００７８】
図６は、本発明の第４実施形態に係る任意接続応答メッセージの構成を示す図である。
【００７９】
図６を参照すれば、本発明の第４実施形態に係る任意接続応答メッセージの基本的な構造は図４を参照して説明した任意接続応答メッセージの構造と同一であるため、その内容は省略する。
【００８０】
ただ、応答情報２６において上りリンク送信電力調整情報７のビット数は減少し、上りリンクリソース割当情報８は割り当てた上りリンクの副搬送波インデックスを示す無線リソース位置情報２４と送信フォーマット情報２５に分けて構成される。ここで、上りリンク送信電力調整情報７と送信フォーマット情報２５は、任意接続応答情報のために特別な範囲、すなわち、電力調整レベル範囲と変調および符号化レベルを導入して最小ビットと設定される。
【００８１】
これによって、上りリンク送信電力調整情報７、無線リソース位置情報２４および送信フォーマット情報２５は、その配列順序を調整して任意接続応答情報内の各フィールドを検出するための最小のビットプロセシングができるように構成してもよい。
【００８２】
したがって、応答情報は図３とは異なって最小のリソースで構成されることによって、無線リソースの活用度を最大化することができる。
【００８３】
図７は、本発明の実施形態に係るセルラーシステムの任意接続手続きを示す図である。
【００８４】
図７を参照すれば、まず、基地局は端末機から任意接続のための任意接続プリアンブルを受信する（Ｓ１０）。
【００８５】
続いて、基地局は任意接続応答メッセージを端末機に送信する（Ｓ２０）。
【００８６】
基地局は、任意接続プリアンブルのシーケンス、前記端末機の上りリンクリソース情報および前記任意接続に対する負荷状態情報を含む任意接続応答メッセージを端末機に送信する。任意接続応答メッセージは、非競争応答情報の数、競争応答情報の数、および前記端末機以外の追加的な端末機に対応する任意接続プリアンブルの存在の有無を示すプリアンブル存在ビットをさらに含んでもよい。
【００８７】
続いて、基地局は制御情報を受信する（Ｓ３０）。
【００８８】
基地局は、任意接続応答メッセージに基づいて生成された制御情報を端末機から受信する。
【００８９】
ここで、基地局は任意接続応答メッセージの応答情報に対応する電力および変調方式で形成された無線リソース制御接続などの制御情報メッセージを、応答情報の上りリンク送信時間に応答情報の上りリンクリソース情報を介して受信する。
【００９０】
続いて、基地局は制御応答情報を送信する（Ｓ３０）。
【００９１】
本発明に係るセルラーシステムにおける任意接続方法は、多様な動作を実行するためのプログラム命令を含むコンピュータ読取可能な記録媒体を含む。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピーディスク及び磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。また、記録媒体は、プログラム命令、データ構造などを保存する信号を送信する搬送波を含む光または金属線、導波管などの送信媒体でもある。プログラム命令の例としては、コンパイラによって生成されるような機械語コードだけでなく、インタプリタなどを用いてコンピュータによって実行され得る高級言語コードを含む。上述のハードウェア装置は、本発明の動作を行うために１つ以上のソフトウェア階層で作動するように構成され、その逆も同様である。
【００９２】
上述したように、本発明は、たとえ限定された実施形態と図面によって説明したが、本発明は、上記の実施形態に限定されることなく、本発明が属する分野における通常の知識を有する者であれば、このような基材から多様な修正および変形が可能である。
【００９３】
したがって、本発明の範囲は説明された実施形態に限定されて決められてはならず、後述する特許請求の範囲だけでなく、この特許請求の範囲と均等なものなどによって定められなければならない。
【図１】
2011510586.tif 000003
【図２】
2011510586.tif 000004
【図３】
2011510586.tif 000005
【図４】
2011510586.tif 000006
【図５】
2011510586.tif 000007
【図６】
2011510586.tif 000008
【図７】
2011510586.tif 000009
【国際調査報告】
2011510586.tif 000010
2011510586.tif 000011